(57)【要約】      （修正有）【課題】厨子を手動による簡易な操作で開閉することができる仏壇の内扉の開閉機構を提供する。【解決手段】回転軸６と、第１〜第４のリンク７ａ、７ｂ、７ｃ、７ｄと、第１’〜第４’のリンクとを備え、回転軸６を一方方向に回転させたとき、一方接続部ｍは回転軸６から離間する方向に変位すると共に、他方接続部は回転軸６に接近する方向に変位し、右スライダ３１と左スライダ３２とが離間する方向に移動して一対の内扉１を開くものであり、回転軸６を一方方向とは反対の反対方向に回転させたとき、一方接続部ｍは回転軸６に接近する方向に変位すると共に、他方接続部は回転軸６から離間する方向に変位し、右スライダ３１と左スライダ３２とが接近する方向に移動して一対の内扉を閉じるものである。【選択図】図４
0003157468.tif 000002
【実用新案登録請求の範囲】
【請求項１】
仏壇本体内部の背面側に設けられ、左右方向に分かれて厨子が安置された厨子収納空間を開閉する一対の内扉と、この一対の内扉は、正面視、右側に位置する右内扉と、左側に位置する左内扉とにより構成され、
前記右内扉の下端部であって前記左内扉側の端部に設けられ、下方に凸設した右スライダと、
前記左内扉の下端部であって前記右内扉側の端部に設けられ、下方に凸設した左スライダと、
前記一対の内扉の下方に設けられた水平部材と、
この水平部材は、前記右および左スライダを、貫通するように受け入れると共に、これら右および左スライダを前記一対の内扉の開閉方向に沿って案内する案内孔を有し、
前記水平部材の下方に設けられ、手動で回転可能な回転軸と、
一端が前記回転軸に取り付けられた第１のリンクと、
一端が前記第１のリンクの他端に回転可能に連結された第２のリンクと、
一端が前記第２のリンクの他端に回転可能に連結された第３のリンクと、この第３のリンクは、該第３のリンクの一端と他端との中途において支軸により軸支され、
一端が前記第３のリンクの他端に回転可能に連結された第４のリンクと、この第４のリンクの他端は、前記右スライダに枢着され、
一端が前記回転軸に取り付けられた第１’のリンクと、
一端が前記第１’のリンクの他端に回転可能に連結された第２’のリンクと、
一端が前記第２’のリンクの他端に回転可能に連結された第３’のリンクと、この第３’のリンクは、該第３’のリンクの一端と他端との中途において前記支軸により軸支され、
一端が前記第３’のリンクの他端に回転可能に連結された第４’のリンクと、この第４’のリンクの他端は、前記左スライダに枢着され、
前記第２のリンクと前記第３のリンクとが連結している部位は一方接続部であり、
前記第２’のリンクと前記第３’のリンクとが連結している部位は他方接続部であり、
前記回転軸を一方方向に回転させたとき、前記一方接続部は前記回転軸から離間する方向に変位すると共に、前記他方接続部は前記回転軸に接近する方向に変位し、前記右スライダと前記左スライダとが離間する方向に移動して前記一対の内扉を開くものであり、
前記回転軸を前記一方方向とは反対の反対方向に回転させたとき、前記一方接続部は前記回転軸に接近する方向に変位すると共に、前記他方接続部は前記回転軸から離間する方向に変位し、前記右スライダと前記左スライダとが接近する方向に移動して前記一対の内扉を閉じるものであることを特徴とする仏壇の内扉の開閉機構。
【請求項２】
回転軸の軸方向は、正面視、仏壇本体の前後方向を向くように配設され、前記回転軸の前端部が仏壇本体の前面に臨むように設けられていることを特徴とする請求項１記載の仏壇の内扉の開閉機構。
【請求項３】
右内扉および左内扉は、それぞれ折戸またはグライドスライドドアであることを特徴とする請求項１または２記載の仏壇の内扉の開閉機構。
【考案の詳細な説明】
【技術分野】
【０００１】
本考案は、厨子を安置する厨子収納空間を開閉する仏壇の内扉の開閉機構に係り、特に、電動機を用いることなく、手動による簡易な操作で厨子を開閉することができるものに関する。
【背景技術】
【０００２】
従来、厨子を開閉する仏壇の内扉の開閉機構にあっては、例えば、特許文献１の図１および図２に示されているように、内扉の裏面上部の角にガイド棒を設け、これを直線溝へ挿入して該内扉を案内し、モータにより駆動する扉駆動装置をガイド棒に取り付け、該モータを駆動させて内扉を開閉する仏壇の厨子扉開閉装置が開示されている。
【先行技術文献】
【特許文献】
【０００３】
【特許文献１】特開平７−８８０３７号公報
【考案の概要】
【考案が解決しようとする課題】
【０００４】
しかしながら、上述したような仏壇の厨子扉開閉装置にあっては、内扉の駆動源としてモータを使用しているため、家庭用電源や電池などの電源が必要となり、仏壇の設置場所が制約されたり、電池切れの際に電池の交換が必要になるなど、使い勝手が必ずしも良いとは言えないという問題点があった。
【０００５】
本考案は、上述した問題点を解決するためになされたものである。
【課題を解決するための手段】
【０００６】
請求項１に係る考案は、仏壇本体内部の背面側に設けられ、左右方向に分かれて厨子が安置された厨子収納空間を開閉する一対の内扉と、この一対の内扉は、正面視、右側に位置する右内扉と、左側に位置する左内扉とにより構成され、前記右内扉の下端部であって前記左内扉側の端部に設けられ、下方に凸設した右スライダと、前記左内扉の下端部であって前記右内扉側の端部に設けられ、下方に凸設した左スライダと、前記一対の内扉の下方に設けられた水平部材と、この水平部材は、前記右および左スライダを、貫通するように受け入れると共に、これら右および左スライダを前記一対の内扉の開閉方向に沿って案内する案内孔を有し、前記水平部材の下方に設けられ、手動で回転可能な回転軸と、一端が前記回転軸に取り付けられた第１のリンクと、一端が前記第１のリンクの他端に回転可能に連結された第２のリンクと、一端が前記第２のリンクの他端に回転可能に連結された第３のリンクと、この第３のリンクは、該第３のリンクの一端と他端との中途において支軸により軸支され、一端が前記第３のリンクの他端に回転可能に連結された第４のリンクと、この第４のリンクの他端は、前記右スライダに枢着され、一端が前記回転軸に取り付けられた第１’のリンクと、一端が前記第１’のリンクの他端に回転可能に連結された第２’のリンクと、一端が前記第２’のリンクの他端に回転可能に連結された第３’のリンクと、この第３’のリンクは、該第３’のリンクの一端と他端との中途において前記支軸により軸支され、一端が前記第３’のリンクの他端に回転可能に連結された第４’のリンクと、この第４’のリンクの他端は、前記左スライダに枢着され、前記第２のリンクと前記第３のリンクとが連結している部位は一方接続部であり、前記第２’のリンクと前記第３’のリンクとが連結している部位は他方接続部であり、前記回転軸を一方方向に回転させたとき、前記一方接続部は前記回転軸から離間する方向に変位すると共に、前記他方接続部は前記回転軸に接近する方向に変位し、前記右スライダと前記左スライダとが離間する方向に移動して前記一対の内扉を開くものであり、前記回転軸を前記一方方向とは反対の反対方向に回転させたとき、前記一方接続部は前記回転軸に接近する方向に変位すると共に、前記他方接続部は前記回転軸から離間する方向に変位し、前記右スライダと前記左スライダとが接近する方向に移動して前記一対の内扉を閉じるものである仏壇の内扉の開閉機構である。
【０００７】
請求項２に係る考案は、請求項１記載の仏壇の内扉の開閉機構において、回転軸の軸方向は、正面視、仏壇本体の前後方向を向くように配設され、前記回転軸の前端部が仏壇本体の前面に臨むように設けられているものである。
【０００８】
請求項３に係る考案は、請求項１または２記載の仏壇の内扉の開閉機構において、右内扉および左内扉は、それぞれ折戸またはグライドスライドドアであるものである。
【考案の効果】
【０００９】
請求項１に記載の仏壇の内扉の開閉機構によれば、仏壇本体内部の背面側に設けられ、左右方向に分かれて厨子が安置された厨子収納空間を開閉する一対の内扉と、この一対の内扉は、正面視、右側に位置する右内扉と、左側に位置する左内扉とにより構成され、前記右内扉の下端部であって前記左内扉側の端部に設けられ、下方に凸設した右スライダと、前記左内扉の下端部であって前記右内扉側の端部に設けられ、下方に凸設した左スライダと、前記一対の内扉の下方に設けられた水平部材と、この水平部材は、前記右および左スライダを、貫通するように受け入れると共に、これら右および左スライダを前記一対の内扉の開閉方向に沿って案内する案内孔を有し、前記水平部材の下方に設けられ、手動で回転可能な回転軸と、一端が前記回転軸に取り付けられた第１のリンクと、一端が前記第１のリンクの他端に回転可能に連結された第２のリンクと、一端が前記第２のリンクの他端に回転可能に連結された第３のリンクと、この第３のリンクは、該第３のリンクの一端と他端との中途において支軸により軸支され、一端が前記第３のリンクの他端に回転可能に連結された第４のリンクと、この第４のリンクの他端は、前記右スライダに枢着され、一端が前記回転軸に取り付けられた第１’のリンクと、一端が前記第１’のリンクの他端に回転可能に連結された第２’のリンクと、一端が前記第２’のリンクの他端に回転可能に連結された第３’のリンクと、この第３’のリンクは、該第３’のリンクの一端と他端との中途において前記支軸により軸支され、一端が前記第３’のリンクの他端に回転可能に連結された第４’のリンクと、この第４’のリンクの他端は、前記左スライダに枢着され、前記第２のリンクと前記第３のリンクとが連結している部位は一方接続部であり、前記第２’のリンクと前記第３’のリンクとが連結している部位は他方接続部であり、前記回転軸を一方方向に回転させたとき、前記一方接続部は前記回転軸から離間する方向に変位すると共に、前記他方接続部は前記回転軸に接近する方向に変位し、前記右スライダと前記左スライダとが離間する方向に移動して前記一対の内扉を開くものであり、前記回転軸を前記一方方向とは反対の反対方向に回転させたとき、前記一方接続部は前記回転軸に接近する方向に変位すると共に、前記他方接続部は前記回転軸から離間する方向に変位し、前記右スライダと前記左スライダとが接近する方向に移動して前記一対の内扉を閉じるものであるため、電動機を用いることなく、手動による簡易な操作により、厨子を迅速かつ確実に開閉することができ、しかも、単一の回転軸の操作により、右内扉および左内扉の両方を同時に開閉することができ、使い勝手がよい。
【００１０】
請求項２に記載の考案によれば、請求項１記載の仏壇の内扉の開閉機構の効果に加え、回転軸の軸方向は、正面視、仏壇本体の前後方向を向くように配設され、前記回転軸の前端部が仏壇本体の前面に臨むように設けられているため、回転軸が仏壇本体の手前側に臨んでいる分、操作がし易く、容易に厨子を開閉することができる。
【００１１】
請求項３に記載の考案によれば、請求項１または２記載の仏壇の内扉の開閉機構の効果に加え、右内扉および左内扉は、それぞれ折戸またはグライドスライドドアであるため、扉の作動領域を可及的に小さくすることができ、他の仏具の邪魔にならず仏壇本体内部を有効に利用することができる。
【図面の簡単な説明】
【００１２】
【図１】本考案に係る仏壇の一部を切断して示した概略的斜視図である。
【図２】図１の概略的正面図である。
【図３】図２のＸ１−Ｘ１線で切断した概略的断面図である。
【図４】本考案の要部を示した概略的断面図であり、図４（ａ）は図３のＸ２−Ｘ２線で切断した図を、図４（ｂ）は図３のＸ３−Ｘ３線で切断した図をそれぞれ示している。
【図５】図３のＸ４−Ｘ４線で切断した概略的断面図である。
【図６】図４（ｂ）のＸ５−Ｘ５線で切断した概略的断面図である。
【図７】図４（ｂ）のＸ６−Ｘ６線で切断した概略的断面図である。
【図８】動作状態を説明するための概略図であり、図８（ａ）は図４（ａ）に、図８（ｂ）は図４（ｂ）にそれぞれ対応するものである。
【図９】動作状態を説明するための概略図であり、図９（ａ）は図４（ａ）に、図９（ｂ）は図４（ｂ）にそれぞれ対応するものである。
【考案を実施するための形態】
【００１３】
本考案の一実施例を、図１〜図７を参照して説明する。各図においてＡは仏壇であり、図１および図２は仏壇Ａの全体を、図３は仏壇Ａにおける本考案の要部であるリンク機構Ｂの配置を、図４〜図７はリンク機構Ｂの近傍を拡大したものをそれぞれ示している。
【００１４】
まず、仏壇Ａの構造について説明すると、仏壇Ａは、図１および図２に示したように、例えば、仏壇本体ｂと、この仏壇本体ｂ内部の背面側に安置される厨子を収納する厨子収納空間ｓと、この厨子収納空間ｓを開閉自在に覆う一対の内扉１と、仏壇本体ｂの前面を開閉自在に覆う一対の観音開きの外扉２、２とを備えており、必要に応じ、お供え物や蝋燭、その他仏具を載置する載置棚ｂ１や仏具等を収納する引出しｂ２が併設されている。なお、同図において、６および６１は、それぞれ後記する回転軸および摘みである。
【００１５】
前述の一対の内扉１は、仏壇本体ｂ内部の背面側に設けられ、左右方向に分かれて厨子が安置された厨子収納空間ｓを開閉するもので、この一対の内扉１は、正面視、右側に位置する右内扉１１と、左側に位置する左内扉１２とにより構成されている。なお、右内扉１１および左内扉１２は、公知の各種扉を採用することができるが、扉の作動領域を可及的に小さくすることができ点で、折戸またはグライドスライドドア（右内扉１１と左内扉１２とが扉で開閉する扉開口部の幅方向を横切り扉開口部を開放した開位置と、右内扉１１と左内扉１２とが扉開口部の幅方向に位置して該扉開口部を閉じた閉位置との間で移動して扉開口部を開閉する扉、例えば、特許第３５６２１９３号公報の図２に図示されているような扉）であるのが好ましい（本実施例にあっては折戸を例示している）。
【００１６】
また、右内扉１１には、該右内扉１１の下端部であって左内扉１２側の端部において、下方に凸設した右スライダ３１が設けられ、左内扉１２には、該左内扉１２の下端部であって右内扉１１側の端部において、下方に凸設した左スライダ３２が設けられている。
【００１７】
これら右および左スライダ３１、３２は、例えば、図４（ｂ）に示したように、ピンであり、右内扉１１および左内扉１２の下端に穿設されたピン嵌入孔にピン先端部を嵌入し、接着剤により接着したり、ピン先端部またはピン全体をねじ切りし、ピン嵌入孔にねじ込んで螺着されており、これら右および左スライダ３１、３２の先端部は後記する水平部材５の下面から下方に向かって突出している。なお、図４（ｂ）等にあっては、滑りを良くするため、ピンに合成樹脂製の筒体を被せた右および左スライダ３１、３２が例示されている。
【００１８】
図４（ａ）、（ｂ）において、５は水平部材であり、水平部材５は、一対の内扉１の下方に設けられているもので、この水平部材５は、右および左スライダ３１、３２を、貫通するように受け入れると共に、これら右および左スライダ３１、３２を前述の一対の内扉１の開閉方向（仏壇本体ｂの正面視左右方向）に沿って案内する略直線状の案内孔５ａを有している。
【００１９】
次に、リンク機構Ｂについて説明すると、リンク機構Ｂは、図３に示したように、仏壇本体ｂ内部における一対の内扉１の下方に配置され、この一対の内扉１を開閉するもので、図４（ｂ）、図５に示したように、概略的に、回転軸６と、第１〜第４のリンク７ａ、７ｂ、７ｃ、７ｄと、第１’〜第４’のリンク７ａ’、７ｂ’、７ｃ’、７ｄ’とにより構成されている。
【００２０】
回転軸６は、図３、図４（ｂ）に示したように、水平部材５の下方に設けられ、手動で回転可能なものであり、具体的には、図６に示したように、仏壇本体ｂに設けられた垂直部材８に取り付けられている。なお、この回転軸６の軸方向は、正面視、仏壇本体ｂの前後方向を向くように配設され、回転軸６の前端部が仏壇本体ｂの前面開口部に臨むように設けられるのが好ましく（図１、図２参照）、前端部には手で摘むための摘み６１を取り付けることができる。
【００２１】
次に、図４（ｂ）を参照して第１〜第４のリンク７ａ、７ｂ、７ｃ、７ｄについて説明すると、第１のリンク７ａは、一端が回転軸６に固定して取り付けられていると共に他端が第２のリンク７ｂに連結され、第２のリンク７ｂは、一端が第１のリンク７ａの他端に回転可能に連結されていると共に他端が第３のリンク７ｃに連結され、第３のリンク７ｃは、一端が第２のリンク７ｂの他端に回転可能に連結されていると共に他端が第４のリンク７ｄに連結され、第４のリンク７ｄは、一端が第３のリンク７ｃの他端に回転可能に連結されていると共に他端が右スライダ３１に枢着されている。
【００２２】
次に、図５を参照して第１’〜第４’のリンク７ａ’、７ｂ’、７ｃ’、７ｄ’について説明すると、第１’のリンク７ａ’は、一端が回転軸６に固定して取り付けられていると共に他端が第２’のリンク７ｂ’に連結され、第２’のリンク７ｂ’は、一端が第１’のリンク７ａ’の他端に回転可能に連結されていると共に他端が第３’のリンク７ｃ’に連結され、第３’のリンク７ｃ’は、一端が第２’のリンク７ｂ’の他端に回転可能に連結されていると共に他端が第４’のリンク７ｄ’に連結され、第４’のリンク７ｄ’は、一端が第３’のリンク７ｃ’の他端に回転可能に連結されていると共に他端が左スライダ３２に枢着されている。
【００２３】
なお、上述したリンクは、例えば、エンジニアリングプラスチック材料等で形成されており、特に、軽量で、摩擦抵抗が少なく、耐久性が良い点で、ポリオキシメチレン（ＰＯＭ）が好適に用いられる。また、リンクどうしの連結にあっては、例えば、図７に示したように、鳩目鋲などの連結部材９で回転可能に連結されている。また、第４のリンク７ｄと右スライダ３１および第４’のリンク７ｄ’と左スライダ３２は、それぞれ直接枢着を行ってもよいが、図４（ｂ）、図５、図７に示したように、取付部材４１、４２を介して行うようにしてもよい。
【００２４】
また、図４（ｂ）、図５に示したように、垂直部材８には、支軸７１が取り付けられており、第３のリンク７ｃは、該第３のリンク７ｃの一端と他端との中途において支軸７１により軸支され（図４（ｂ）参照）、同様に、第３’のリンク７ｃ’は、該第３’のリンク７ｃ’の一端と他端との中途において前述の支軸７１により軸支されている（図５参照）。
【００２５】
また、図４（ｂ）において、ｍは、第２のリンク７ｂと第３のリンク７ｃとが連結している部位（一方接続部）であり、図５において、ｎは、第２’のリンク７ｂ’と第３’のリンク７ｃ’とが連結している部位（他方接続部）であり、これら一方接続部ｍと他方接続部ｎは、回転軸６を回転させたとき、該回転軸６との距離が相反する方向に変位するように、すなわち、回転軸６を一方方向（例えば、図４（ｂ）のｄ１方向）に回転させたとき、一方接続部ｍは回転軸６から離間する方向に変位すると共に、他方接続部ｎは回転軸６に接近する方向に変位し、右スライダ３１と左スライダ３２とが離間する方向に移動して一対の内扉１を開き、回転軸６を一方方向とは反対の反対方向（例えば、図４（ｂ）のｄ２方向）に回転させたとき、一方接続部ｍは回転軸６に接近する方向に変位すると共に、他方接続部ｎは回転軸６から離間する方向に変位し、右スライダ３１と左スライダ３２とが接近する方向に移動して一対の内扉１を閉じるように、第１のリンク７ａと第２のリンク７ｂとが回転軸６周りに配設されている。
【００２６】
次に、上述した実施例のように構成される一対の内扉１（右内扉１１、左内扉１２）の作用について説明すると、まず、一対の内扉１が閉じている状態にあっては、右スライダ３１と左スライダ３２とが互いに近接しているもので、厨子収納空間ｓは、右内扉１１と左内扉１２とにより閉じられている。
【００２７】
そして、摘み６１を手で摘み、図４（ｂ）および図５の矢印ｄ１で図示した方向に回転軸６を回転させると、一方接続部ｍは、図４（ｂ）に示したように、第１のリンク７ａと第２のリンク７ｂとの連係により回転軸６から離間する方向に変位して押し出され、支軸７１を支点として第３のリンク７ｃが回転し、右スライダ３１が案内孔５ａに沿って同図の矢印ｄ３方向に移動し、右内扉１１の折戸が折り畳まれる（図８（ａ）、（ｂ）、図９（ａ）、（ｂ）参照）。
【００２８】
一方、上述した摘み６１による回転軸６の回転に伴い、他方接続部ｎは、図５に示したように、第１’のリンク７ａ’と第２’のリンク７ｂ’との連係により回転軸６に接近する方向に変位して引っ張られ、支軸７１を支点として第３’のリンク７ｃ’が回転し、左スライダ３２が案内孔５ａに沿って同図の矢印ｄ４方向に移動し、左内扉１２の折戸が折り畳まれるもので（図８（ａ）、（ｂ）、図９（ａ）、（ｂ）参照）、右内扉１１と左内扉１２とが開いて厨子収納空間ｓが開放され、内部に安置された厨子が現れる。
【００２９】
なお、一対の内扉１が開いている状態から厨子収納空間ｓを閉じる場合にあっては、図４（ｂ）および図５の矢印ｄ２で図示した方向に回転軸６を回転させることにより、一方接続部ｍは回転軸６に接近し、他方接続部ｎは回転軸６から離間し、第１〜第４のリンク７ａ、７ｂ、７ｃ、７ｄおよび第１’〜第４’のリンク７ａ’、７ｂ’、７ｃ’、７ｄ’それぞれの連係により右および左スライダ３１、３２が仏壇本体ｂの中央側に移動して折戸が拡張し、一対の内扉１（右内扉１１、左内扉１２）が閉じられる。
【００３０】
ところで、上述した実施例にあっては、右内扉１１および左内扉１２を折戸とした例について示したが、両者をグライドスライドドア（不図示）としてもよい。また、案内孔５ａの形状は、上述した略直線状のもの限らず、ハの字状やへの字状に形成したり、曲線状に形成したりしてもよい。
【符号の説明】
【００３１】
Ａ        仏壇
Ｂ        リンク機構
ｍ        一方接続部
ｎ        他方接続部
１        一対の内扉
１１      右内扉
１２      左内扉
３１      右スライダ
３２      左スライダ
５        水平部材
６        回転軸
７ａ〜７ｄ  第１〜第４のリンク
７ａ’〜７ｄ’  第１’〜第４’のリンク
７１      支軸
【図１】
0003157468.tif 000003
【図２】
0003157468.tif 000004
【図３】
0003157468.tif 000005
【図４】
0003157468.tif 000006
【図５】
0003157468.tif 000007
【図６】
0003157468.tif 000008
【図７】
0003157468.tif 000009
【図８】
0003157468.tif 000010
【図９】
0003157468.tif 000011